【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
画面を表示する表示部と、
操作の入力を受け付ける入力部と、
ネットワークとの間で情報を送受信する通信部と、
前記通信部を介して、前記ネットワークからＷｅｂページを取得するブラウザコンポーネントと、
前記Ｗｅｂページにリンクされている他のＷｅｂページを示すリンクＵＲＬを抽出するリンク情報取得部と、
前記リンクＵＲＬで示される他のＷｅｂページの閲覧可又は不可を確認する閲覧可否確認部と、
前記入力部が前記リンクＵＲＬを選択した表示操作の入力を受け付ける前に、前記閲覧可否確認部での確認結果に応じて、前記リンクＵＲＬで示される他のＷｅｂページが閲覧可であること及び閲覧不可であることの少なくとも何れか一方を示す表示を前記表示部に行わせる表示制御部と、を備え、
前記表示制御部は、前記閲覧可否確認部での確認結果に応じて、前記Ｗｅｂページにおいて前記リンクＵＲＬの表示を少なくとも一つ以上更新した際に、それまでの前記リンクＵＲＬの表示の更新の結果を反映した更新後のＷｅｂページを生成し、
前記ブラウザコンポーネントは、前記更新後のＷｅｂページの画面を前記表示部に表示させること
を特徴とする情報処理装置。
【請求項２】
前記ブラウザコンポーネントは、前記画面を前記表示部に表示させると表示完了通知を前記表示制御部に行い、
前記表示制御部は、前記閲覧可否確認部での確認結果に応じて、前記Ｗｅｂページにおいて前記リンクＵＲＬの表示を更新した際に、前記表示完了通知を受けている場合には、それまでの前記リンクＵＲＬの表示の更新の結果を反映した更新後のＷｅｂページを生成すること
を特徴とする請求項１に記載の情報処理装置。
【請求項３】
前記ブラウザコンポーネントは、前記更新後のＷｅｂページの画面を表示する際に、前記更新後のＷｅｂページの画面を表示させる前の画面の表示状態を取得し、当該表示状態を適用して、前記更新後のＷｅｂページの画面を表示させること
を特徴とする請求項１又は２に記載の情報処理装置。
【請求項４】
前記表示制御部は、前記閲覧可否確認部での確認結果が閲覧不可と判断された他のＷｅｂページを示すリンクＵＲＬの表示形式を予め定められた表示形式に変更することで、前記リンクＵＲＬの表示を更新すること
を特徴とする請求項１から３の何れか一項に記載の情報処理装置。
【請求項５】
前記ブラウザコンポーネントは、前記Ｗｅｂページの画面を前記表示部に表示させ、
前記表示制御部は、前記閲覧可否確認部での確認結果に応じて、前記リンクＵＲＬで示される他のＷｅｂページが閲覧可であること及び閲覧不可であることの少なくとも何れか一方を示す画像を、前記Ｗｅｂページの画面において表示させること
を特徴とする請求項１に記載の情報処理装置。
【請求項６】
前記表示制御部は、前記閲覧可否確認部において、閲覧可であること及び閲覧不可であることの少なくとも何れか一方が確認された他のＷｅｂページを示すリンクＵＲＬに近接した位置に、前記画像を表示させること
を特徴とする請求項５に記載の情報処理装置。
【請求項７】
前記閲覧可否確認部は、前記Ｗｅｂページの画面において、前記入力部を介して、前記リンクＵＲＬが選択された際に、当該選択されたリンクＵＲＬで示される他のＷｅｂページの閲覧可又は不可を確認すること
を特徴とする請求項５又は６に記載の情報処理装置。
【請求項８】
前記表示制御部は、前記表示部における表示領域内にリンクＵＲＬが存在する場合に、前記表示部における表示領域内に存在するリンクＵＲＬで示される他のＷｅｂページが閲覧可であること及び閲覧不可であることの少なくとも何れか一方を示す画像を前記表示部に表示させること
を特徴とする請求項５又は６に記載の情報処理装置。
【請求項９】
前記表示制御部は、前記リンクＵＲＬの内、前記閲覧可否確認部での確認結果が閲覧不可である他のＷｅｂページを示すリンクＵＲＬを特定し、当該特定されたリンクＵＲＬで示される他のＷｅｂページが閲覧不可であることを示す表示を前記表示部に行わせること
を特徴とする請求項１に記載の情報処理装置。
【請求項１０】
前記ネットワークには、Ｗｅｂページの閲覧可否を判断するフィルタリングサーバが接続されており、
前記閲覧可否確認部は、前記通信部を介して、前記リンクＵＲＬで示される他のＷｅｂページの閲覧可否を前記フィルタリングサーバに問い合わせ、前記フィルタリングサーバでの判断結果に応じて、前記リンクＵＲＬで示される他のＷｅｂページの閲覧可否を確認すること
を特徴とする請求項１から９の何れか一項に記載の情報処理装置。
【請求項１１】
ＵＲＬと、当該ＵＲＬで示されるＷｅｂページの閲覧可否とを示すフィルタリング情報を記憶する記憶部をさらに備え、
前記閲覧可否確認部は、前記閲覧可否情報を参照することで、前記リンクＵＲＬで示される他のＷｅｂページの閲覧可否を確認すること
を特徴とする請求項１から９の何れか一項に記載の情報処理装置。
【請求項１２】
画面を表示する表示部と、
操作の入力を受け付ける入力部と、
ネットワークとの間で情報を送受信する通信部と、を備える情報処理装置が行う表示方法であって、
ブラウザコンポーネントが、前記通信部を介して、前記ネットワークからＷｅｂページを取得するＷｅｂページ取得過程と、
リンク情報取得部が、前記Ｗｅｂページにリンクされている他のＷｅｂページを示すリンクＵＲＬを抽出するリンク情報抽出過程と、
閲覧可否確認部が、前記リンクＵＲＬで示される他のＷｅｂページの閲覧可又は不可を確認する閲覧可否確認過程と、
表示制御部が、前記入力部が前記リンクＵＲＬを選択した表示操作の入力を受け付ける前に、前記閲覧可否確認部での確認結果に応じて、前記リンクＵＲＬで示される他のＷｅｂページが閲覧可であること及び閲覧不可であることの少なくとも何れか一方を示す表示を前記表示部に行わせる表示制御過程と、を有し、
前記表示制御過程において、
前記表示制御部は、前記閲覧可否確認過程での確認結果に応じて、前記Ｗｅｂページにおいて前記リンクＵＲＬの表示を少なくとも一つ以上更新した際に、それまでの前記リンクＵＲＬの表示の更新の結果を反映した更新後のＷｅｂページを生成し、
前記ブラウザコンポーネントは、前記更新後のＷｅｂページの画面を前記表示部に表示させること
を特徴とする表示方法。
【請求項１３】
コンピュータを
画面を表示する表示手段、
操作の入力を受け付ける入力手段、
ネットワークとの間で情報を送受信する通信手段、
前記通信手段を介して、前記ネットワークからＷｅｂページを取得するＷｅｂページ取得処理と、
前記Ｗｅｂページにリンクされている他のＷｅｂページを示すリンクＵＲＬを抽出するリンク情報抽出処理と、
前記リンクＵＲＬで示される他のＷｅｂページの閲覧可又は不可を確認する閲覧可否確認処理と、
前記入力手段が前記リンクＵＲＬを選択した表示操作の入力を受け付ける前に、前記閲覧可否確認部での確認結果に応じて、前記リンクＵＲＬで示される他のＷｅｂページが閲覧可であること及び閲覧不可であることの少なくとも何れか一方を示す表示を前記表示手段に行わせる表示制御処理と、を行う制御手段、として機能させ、
前記制御手段は、前記閲覧可否確認部での確認結果に応じて、前記Ｗｅｂページにおいて前記リンクＵＲＬの表示を少なくとも一つ以上更新した際に、それまでの前記リンクＵＲＬの表示の更新の結果を反映した更新後のＷｅｂページを生成し、当該更新後のＷｅｂページの画面を前記表示手段に表示させること
を特徴とするプログラム。
【手続補正２】
【補正対象書類名】明細書
【補正対象項目名】０００９
【補正方法】変更
【補正の内容】
【０００９】
本発明の１態様に係る情報処理装置は、
画面を表示する表示部と、
操作の入力を受け付ける入力部と、
ネットワークとの間で情報を送受信する通信部と、
前記通信部を介して、前記ネットワークからＷｅｂページを取得するブラウザコンポーネントと、
前記Ｗｅｂページにリンクされている他のＷｅｂページを示すリンクＵＲＬを抽出するリンク情報取得部と、
前記リンクＵＲＬで示される他のＷｅｂページの閲覧可又は不可を確認する閲覧可否確認部と、
前記入力部が前記リンクＵＲＬを選択した表示操作の入力を受け付ける前に、前記閲覧可否確認部での確認結果に応じて、前記リンクＵＲＬで示される他のＷｅｂページが閲覧可であること及び閲覧不可であることの少なくとも何れか一方を示す表示を前記表示部に行わせる表示制御部と、を備え、
前記表示制御部は、前記閲覧可否確認部での確認結果に応じて、前記Ｗｅｂページにおいて前記リンクＵＲＬの表示を少なくとも一つ以上更新した際に、それまでの前記リンクＵＲＬの表示の更新の結果を反映した更新後のＷｅｂページを生成し、
前記ブラウザコンポーネントは、前記更新後のＷｅｂページの画面を前記表示部に表示させること
を特徴とする。